(57)【要約】      （修正有）【課題】取り扱いが簡単であると共に、不使用時にはコンパクトに折り畳んで保管することができ、使用時にはスピーディーに設置することができる車両強制停止装置を提供する。【解決手段】平面長方形状の複数一対の網状体２Ａを、車両の車輪と接触する面に多数の鋲体６を取着してなる帯状体３を介して相互に接合してなる、圧縮気体により膨張するチューブ５と、反対側の端縁部に該チューブ５と平行になるようチェーン４を取着すると共に、網状体２Ａの車両進入側と反対側の端縁部から車両進入側に向かって所定の位置までチェーン４′、４′、４′、４′を取着する。また、車両の車輪に巻きついて絡みつく網状体２を、車両の進入側の端縁部に、車両の進行方向と直交する方向に沿って延在するよう結合する。【選択図】図１
2019143417.tif 000002
【特許請求の範囲】
【請求項１】
破断し難い材質からなり、平面長方形状の複数一対の網状体に、該網状体から車両進入側の端縁部に、車両の車輪と接触する面に多数の鋲体を取着してなる帯状体を取り付けると共に、前記網状体の車両進入側と反対側の端縁部及び該端縁部から車両進入側に向かって所定の位置までチェーンを取着してなる車両強制停止装置。
【請求項２】
前記帯状体にインフレータのボンベ開栓時にボンベから導入される圧縮気体により膨張する膨縮可能なチューブを添着してなる請求項１記載の車両強制停止装置。
【請求項３】
インフレータが、ＣО２インフレータである請求項１又は２記載の車両強制停止装置。
【発明の詳細な説明】
【技術分野】
【０００１】
本発明は、暴走車両や薬物投与・飲酒運転等によって逃走しようとする車両を瞬時に停止させるために用いる車両強制停止装置に関するものである。
【背景技術】
【０００２】
暴走車両や薬物投与・飲酒運転等によって逃走しようとする車両は、信号無視を繰り返したり、逆走したりする等して他の車両や歩行者等に被害を与える虞があり、きわめて危険である。したがって、速やかに停止させる必要がある。
【０００３】
そして、このような車両を強制的に停止させるためには、これを行う作業に迅速性が要求される。このため、これに用いる用具については、取り扱いが簡単であると共に、不使用時にはコンパクトに折り畳んで保管することができ、使用時にはスピーディーに設置ができるものであることが望ましい。しかし、従来においてはこのような要望に応えることができるものが存在せず、その案出が望まれていた。
【発明の概要】
【発明が解決しようとする課題】
【０００４】
本発明は上記の点に鑑みなされたものであって、取り扱いが簡単であると共に、不使用時にはコンパクトに折り畳んで保管することができ、使用時にはスピーディーに設置ができるようになした車両強制停止装置を提供しようとするものである。
【課題を解決するための手段】
【０００５】
而して、本発明の要旨とするところは、破断し難い材質からなり、平面長方形状の複数一対の網状体に、該網状体から車両進入側の端縁部に、車両の車輪と接触する面に多数の鋲体を取着してなる帯状体を取り付けると共に、前記網状体の車両進入側と反対側の端縁部及び該端縁部から車両進入側に向かって所定の位置までチェーンを取着してなる車両強制停止装置にある。
【０００６】
また、上記構成において、前記帯状体にインフレータのボンベ開栓時にボンベから導入される圧縮気体により膨張する膨縮可能なチューブをテープその他の手段により添着するようにすることが好ましい。
【０００７】
また、上記構成において、インフレータとしてはＣО２インフレータであることが好ましい。
【発明の効果】
【０００８】
本発明は上記の如き構成であり、逃走しようとする車両を強制的に停止させるときには、折り畳んであった網状体を地面上に展開するだけで簡単に設置が完了するものであり、取り扱いがきわめて簡単で、而もスピーディーに行うことができるものである。また、インフレータのボンベ開栓時にボンベから導入される圧縮気体により膨張する膨縮可能なチューブを帯状体に添着したときには、不使用時には網状体とチューブ状の袋体を折り畳んでコンパクトになした状態とすることができ、保管に便利で、例えば、車両のトランクに収納しておくこともできると共に、トランクからの出し入れもスムーズに行うことができるものである。
【図面の簡単な説明】
【０００９】
【図１】本発明の第１の実施形態に係る車両強制停止装置の使用時の状態の平面図である。
【図２】同部分拡大斜視図である。
【図３】同部分拡大斜視図である。
【図４】同作用説明図であり、車両の底面側から看た図である。
【図５】本発明の第２の実施形態に係る車両強制停止装置の使用時の状態の平面図である。
【発明を実施するための形態】
【００１０】
以下、本発明を実施するための形態について、図面を参照して説明する。
【００１１】
図中、１は車両強制停止装置である。また、該車両強制停止装置１は、後記チェーンを取り付けた網状体と、チューブと、インフレータとからなるものでる。
【００１２】
２は網状体であり、樹脂等の破断し難い材質からなり、平面長方形状の複数一対の網状体２Ａ、２Ａからなるものであり、その一方の端縁部には帯状体３が、また他方の端縁部にはチェーン４が取り付けてある。前記帯状体３は、複数の網状体２Ａ、２Ａを相互に接続するものであってもよいし（図１参照。）、個々の網状体２Ａの端縁部に取り付けるようにしてもよい（図５参照。）。該網状体２の幅は、大型車から軽自動車までの全ての車両の幅寸法をカバーする寸法Ｗを有している。また、該網状体２は、逃走しようとする車両の左右の前輪に巻きついて絡みつき、車輪を回転不能にするものである。また、該網状体２の夫々の側端部には、帯状体３とは反対側の端縁部から帯状体３の方向に向かって所定の位置までチェーン４′、４′、４′、４′を取着している。これが網状体２に続いて車輪に巻きつくものである。
【００１３】
尚、前記帯状体３は、前記網状体２における車両の進入側の端縁部に、車両の進行方向（矢標）と直交する方向に沿って延在するよう結合すると共に、車両の車輪と接触する面に多数の鋲体６、６、６・・・を取着してなるものである。そしてまた、該帯状体３は後記インフレータのボンベの開栓時にボンベから導入される圧縮気体により膨張する膨縮可能なチューブ５に添着されているから、該チューブの膨張により即座に路上に展開するものである。
【００１４】
５はチューブである。また、該チューブ５は、図３に示す如く帯状体３の裏側に添着してある。その添着方法としては、図３に示すように、テープ等１１により相互に纏めるようにするとよい。
【００１５】
７は前記チューブ５に圧縮した気体を供給するインフレータである。また、該インフレータ７は、圧縮した気体を封入したボンベ８と、該ボンベ８の開栓機構部９Ａ及び気体噴出口９ａを備えたインフレータ本体９とからなるものであり、そして、該インフレータ７は、ボンベの開栓機構部９Ａを回すことによって開栓し、ボンベ８内の圧縮した気体を気体噴出口９ａから噴出するものである。尚、前記ボンベ８には、使用時にその冷却から手を保護するためのカバー８Ａを被覆させている。そしてまた、該気体噴出口９ａは、前記チューブ５の一端部に備えたバルブ１０に接続している。また、本実施形態においてはインフレータ６として瞬間的な膨張に有効なＣО２インフレータを用いている。また、その他、図中１０は逃走しようとしている車両を示すものである。
【００１６】
次に、上記実施形態の作用について説明する。
例えば、逃走しようとする車両を巡回中の警察車両（パトロールカー）が追跡して停止させようとしても、これを無視して逃走を続けた場合において、当該警察車両からの連絡を受けて逃走経路上のある地点に別の警察車両を急行させて待ち伏せるときにおいて本発明に係る車両強制停止装置を用いるものである。
【００１７】
該待ち伏せした警察車両は、そのトランクから本発明に係る車両強制停止装置１を取り出し、先ずインフレータ７によってチューブ５を膨張させる。このとき、該チューブ５は棒状に膨らみ、帯状体３を展開する。そしてこれを逃走しようとする車両の進行方向と直角になるようにして地面上に置く。次に、折り畳まれている網状体２の帯状体３とは反対側の端部を持って、網状体２を路上に展開する。これによって設置が完了する。
【００１８】
そして、逃走しようとする車両の左右の前輪が帯状体３及びチューブ５に乗ると、鋲体６、６、６・・・が該左右の前輪に突き刺さり、続いて帯状体３に取着した網状体２が巻き込まれる。また、これに続いて網状体２を構成している複数の網状体２Ａ、２Ａの側端部に取り付けたチェーン４′、４′、４′、４′も一緒に巻き込まれる。尚、図５に示した第２の実施形態にあっては、左右の車輪が巻き込むことにより、夫々の網状体２′を繋いでいるチューブ５が切断されて、夫々の網状体２′は分離される。このとき、チューブ５も切断されるが、チューブ５は帯状体３を展開するためのものであるため、切断されても何ら問題はない。
【００１９】
そして、左右の車輪が更に回転すると、これに巻き込まれた網状体２の他方側の端縁部に取着されたチェーン４が、図４に示す如く、車両の車体の底面に、これを横切るようにして圧接する。これにより、左右の前輪が回転不能になり、もって逃走しようとする車両は強制的に停止させられることになるものである。
【００２０】
本実施形態は上記の如き構成であり、逃走しようとする車両を強制的に停止させるときには、インフレータ７によってチューブ５を瞬時に膨張させると共に、折り畳んであった網状体２を地面上に展開すれば設置が完了するものであり、取り扱いがきわめて簡単で、而もスピーディーに行うことができるものである。また、不使用時には、網状体２、帯状体３及びチューブ５を折り畳んでコンパクトにした状態とすることができ、保管に便利で、例えば、車両のトランクに収納しておくこともできると共に、トランクからの出し入れもスムーズに行うことができるものである。
【符号の説明】
【００２１】
１  車両強制停止装置
２  網状体
３  帯状体
４、４′  チェーン
５  チューブ
６  鋲体
７  インフレータ
８  ボンベ
９  インフレータ本体
９Ａ  ボンベの開栓機構部
９ａ  気体噴出口
１０  バルブ
【図１】
2019143417.tif 000003
【図２】
2019143417.tif 000004
【図３】
2019143417.tif 000005
【図４】
2019143417.tif 000006
【図５】
2019143417.tif 000007